(57)【特許請求の範囲】
【請求項１】
動力機構が収納された基台と、
前記基台上に立設され綿菓子を製造するための製造機本体と、
第１の軸を中心にシーソ動作する電源スイッチを動作ロックするスイッチロック装置であって、前記電源スイッチが少なくともＯＦＦ状態のときに当該電源スイッチに係合可能なロック部材を有し、このロック部材は、手動操作により前記電源スイッチから離反する方向に動作して当該電源スイッチとの係合を解除するように構成されると共に、手動操作をしないときには付勢手段により前記電源スイッチと係合する側に動作して当該電源スイッチがＯＦＦ状態のときに自動的に当該電源スイッチに係合して動作ロックを行うように構成されているスイッチロック装置とを備え、
前記電源スイッチが前記基台の上面側に付設された綿菓子製造機において、
前記ロック部材を手動操作するための操作子を備え、
前記操作子は、前記基台の下面側で操作可能な操作部を備えていることを特徴とする綿菓子製造機。
【請求項２】
前記ロック部材は、前記電源スイッチがＯＦＦ状態のときにのみ当該電源スイッチの動作ロックを行うように構成されていることを特徴とする請求項１記載の綿菓子製造機。
【請求項３】
前記ロック部材は、前記電源スイッチに対して離接する方向に動作可能で且つ該電源スイッチがＯＦＦ状態にあるときに該電源スイッチの上に乗り上げ可能なスライダから構成され、前記操作子は、前記第１の軸に平行な第２の軸を中心に回動動作して前記スライダを動作させ前記電源スイッチがＯＦＦ状態にあるとき前記電源スイッチの上に乗り上げさせる回動部材から構成されていることを特徴とする請求項１又は２記載の綿菓子製造機。
【請求項４】
前記回動部材の下端部は、前記基台の下面凹部に臨んでいることを特徴とする請求項３に記載の綿菓子製造機。
【発明の詳細な説明】
【０００１】
【発明の属する技術分野】
この発明は、綿菓子製造機に関するものである。
【０００２】
【従来の技術】
従来、玩具等の電源スイッチとして、シーソ式の電源スイッチが広く用いられている。この電源スイッチは所定の軸を中心にシーソ動作するもので、電源投入の際には電源スイッチの一方側を押圧し、電源切断の際には電源スイッチの他方側を押圧するように構成されている。
【０００３】
【発明が解決しようとする課題】
ところが、このようなシーソ式の電源スイッチの場合、押圧操作によってＯＮ，ＯＦＦされるものであることから、電源投入及び電源切断を特に意図しない場合であっても、何らかの原因で電源スイッチに荷重が作用するとＯＮ，ＯＦＦされやすく、ＯＮとなる場合には、着けっ放しの状態となるので好ましくない。特に、モータや発熱体が内蔵された綿菓子製造機では好ましくない。
本発明は、かかる問題点に鑑みなされたもので、誤動作を防止できる綿菓子製造機を提供することを目的としている。
【０００４】
【課題を解決するための手段】
第１の手段は、
動力機構が収納された基台と、
前記基台上に立設され綿菓子を製造するための製造機本体と、
第１の軸を中心にシーソ動作する電源スイッチを動作ロックするスイッチロック装置であって、前記電源スイッチが少なくともＯＦＦ状態のときに当該電源スイッチに係合可能なロック部材を有し、このロック部材は、手動操作により前記電源スイッチから離反する方向に動作して当該電源スイッチとの係合を解除するように構成されると共に、手動操作をしないときには付勢手段により前記電源スイッチと係合する側に動作して当該電源スイッチがＯＦＦ状態のときに自動的に当該電源スイッチに係合して動作ロックを行うように構成されているスイッチロック装置とを備え、
前記電源スイッチが前記基台の上面側に付設された綿菓子製造機において、
前記ロック部材を手動操作するための操作子を備え、
前記操作子は、前記基台の下面側で操作可能な操作部を備えていることを特徴とする。
このスイッチロック装置によれば、ロック部材を手動操作すると共に電源スイッチをＯＮ側に操作しないと電源が投入されない。よって、誤って電源が投入されるのが防止される。また、電源スイッチが基台の上面に、操作子の操作部が基台の下面側に存することから、片手で同時に操作することが難しくなるので、電源投入を特に意識しない限り電源投入ができない。
【０００５】
第２の手段は、第１の手段において、前記ロック部材は、前記電源スイッチがＯＦＦ状態のときにのみ当該電源スイッチの動作ロックを行うように構成されていることを特徴とする。
このスイッチロック装置によれば、電源スイッチをＯＮ状態からＯＦＦ状態にするにはロック部材の手動操作をする必要がない。
【０００６】
第３の手段は、第１又は第２の手段において、前記ロック部材は、前記電源スイッチに対して離接する方向に動作可能で且つ該電源スイッチがＯＦＦ状態にあるときに該電源スイッチの上に乗り上げ可能なスライダから構成され、前記操作子は、前記第１の軸に平行な第２の軸を中心に回動動作して前記スライダを動作させ前記電源スイッチがＯＦＦ状態にあるとき前記電源スイッチの上に乗り上げさせる回動部材から構成されていることを特徴とする。
このスイッチロック装置によれば、操作子を手動操作するとロック部材が付勢手段の付勢力に抗して第２の軸を中心に回動し、ロック部材による電源スイッチの動作ロックが解除される。
【０００７】
第４の手段は、請求項３に記載の綿菓子製造機において、前記回動部材の下端部は、前記基台の下面凹部に臨んでいることを特徴とする。
【０００８】
【発明の実施の形態】
１．綿菓子製造機の全体構成
図１には綿菓子製造機の外観が示されている。この綿菓子製造機１は、モータとして例示する（図２参照）動力機構４が収納された基台２と、その基台２上に立設された、綿菓子を製造する製造機本体３と、出来た綿菓子を溜めておく容器５とを備えている。
【０００９】
２．製造機本体の構成
（１）概略構成
製造機本体３は、図３に分解斜視図にて示すように、基台２上に立設された垂直固定軸６上に設置される、回転子８、ファン９、回転鍋１０及びカバー１５から構成されている。すなわち、回転子８は中心部の管軸部８１を外嵌させた状態で前記垂直固定軸６に回転自在に支持され、前記動力機構４により歯車７と一体的に回転駆動されるようになっている。また、ファン９は中心孔９１ａ、回転鍋１０は中心孔１１ａ、１２ａ、１３ａ、１４ａを前記管軸部８１に外嵌させた状態で回転子８に固定されている。一方、カバー１５は、回転鍋１０よりも上方へ突出した前記垂直固定軸６の上端の角ねじ部６ｂに回転不能に固定されている。このカバー１５は前記回転鍋１０の上半部を覆うものである。
【００１０】
（２）細部構成
１）垂直固定軸の構成
図３に示すように、垂直固定軸６の下半部は丸軸部６ａとなり、上半部は角ねじ部６ｂとなっている。歯車７は図２にモータとして例示する動力機構４から回転動力を受けて回転するもので、その上面部に角孔７ａが設けられ、該角孔７ａ中に前記角柱部８４が嵌合されることによって、歯車７と回転子８とは一体的に回転するようになっている。そして、前記丸軸部６ａに、前記歯車７、回転子８、ファン９及び回転鍋１０が、相互に一体となって回転自在に嵌合されている。
【００１１】
２）回転子の構成
図３に示すように、回転子８は、その中間部が円柱状部となり、その上端に固定片８２、８２と電極取付片８３、８３とが相互に十文字状に交わった状態で取り付けられる一方、下端に角柱部８４が設けられた構成となっている。
【００１２】
そして、前記管軸部８１の円柱状部には上下２層に分かれた電導体８１ａ、８１ｂが捲着される一方、電極取付け片８３、８３にねじ止め電極部８３ａ、８３ａが設けられ、それら各電極部８３ａ、８３ａと電導体８１ａ、８１ｂとの間が正側と負側にそれぞれ別々になるように導電接続されている。
【００１３】
前記各固定片８２、８２には、取り付け孔８２ａ、８２ａが設けられている。
【００１４】
３）ファンの構成
図３に示すように、ファン９は、その中心の丸孔９１ａを管軸部８１に嵌合させた状態で回転子８上に固定される基部９１と、風を起こす羽根部９２とから構成され、基部９１の外周寄りには略等角度間隔に下向きの折片９ａと丸孔９ｂとが交互に設けられている。そして、折片９ａ、９ａが取付け孔８２ａ、８２ａ中に嵌入されることにより、ファン９と回転子８との間に相対回転が生じないようになっている。
【００１５】
４）回転鍋の構成
図３に示すように、回転鍋１０は、下皿１１と、該下皿１１の上端開口部上に戴置された電熱装置１２と、その電熱装置１２上に被された鍋底板１３と、下皿１１の底部上に立てられ電熱装置１２を鍋底板１３の下側面に近接させる筒状スペーサ１６と、その筒状スペーサ１６中を通して鍋蓋１４と下皿１１とを一体化させた筒状リベット１７と、鍋底板１３にその上部を被った状態で取り付けられた鍋蓋１４とから構成されている。
【００１６】
そして、前記下皿１１は中央部が凹んだ皿状に作られ、底部中央には前述の如く筒状リベット１７を通す丸孔１１ａが形成され、かつ、その両側には別に２個の丸孔１１ｂ、１１ｂが形成されている。
【００１７】
５）電熱装置の構成
図３に示すように、電熱装置１２は電気を受けて熱を発生する電熱板１２１と該電熱板１２１に電気を導く正、負のリード線１２２、１２２とから構成されている。そして、リード線１２２、１２２が前記下皿１１の丸孔１１ｂ、１１ｂおよびファン９の丸孔９ｂ、９ｂを介して下方に導かれ、それらの端子１２２ａ、１２２ａが前記電極取付け片８３、８３のねじ止め電極部８３ａ、８３ａにねじ止めされている。
【００１８】
６）鍋底板の構成
鍋底板１３はほぼ円盤状を呈し、その上板部の下側面が前記電熱板１２１の上面に近接（密接も含む。）した状態で前記電熱板１２１の上面および下皿１１の上端を被うように取り付けられている。
【００１９】
７）鍋蓋の構成
鍋蓋１４は、全体としてハット（ほぼ鍔付き帽子）形状をし、円錐台状に高く突出した中央の隆起部１４１と、その外周側の上板部１４２と、最外周側の鍔部１４３とから構成されている。そして、前記隆起部１４１の中央には砂糖類を投入するための丸孔１４ａが設けられている。
また、前記上板部１４２にはその上板部１４２を上方に湾曲突出させた風起こし用のリブ１４２ａが設けられている。また、前記上板部１４２の各リブ１４２ａ−１４２ａ間には、下方に突出したスペース突起１４２ｂが存在することによって、前記鍋蓋１４を前記鍋底板１３上に被せた状態において、鍋蓋１４−鍋底板１３間に液化した砂糖類放出用の放出口（隙間）３０が形成されている。
【００２０】
８）カバーの構成
カバー１５は、図１、図４に示すように、全体としてキャップ（ほぼ縁なし帽子）形状をしており、下部開放で、中央のすり鉢状凹部１５ｂの底面には図５に示すように多数の円状砂糖投入口１５ｄが付設されている。この円状砂糖投入口１５ｄは１．８ｍｍ〜２ｍｍ以下となっている。また、カバー１５の外周には、図４及び図６に示すように、上下方向に延びる空気流通用スリット（空気流通口）１５ｃが多数設けられている。このカバー１５は前記回転鍋の上半部を覆った状態で前記垂直固定軸６の角ねじ部６ｂに回転不能状態に取り付けられている。なお、空気流通用スリット１５ｃはカバー１５の中心軸線を含む面（放射面）内に存在し、その幅は１．８ｍｍ〜２ｍｍ以下となっている。これによって、空気の十分な流通の確保と、異物の進入の防止という２律背反的な要求を同時に満足させている。
【００２１】
９）その他
このように、各構成部材が基台２上に取り付けられた状態において、前記カバー１５の下端と基台２中央の円筒部２ａとの間にできる隙間２０（図１）の位置に回転鍋１０の鍋蓋１４と鍋底板１３の外周縁部との間の開口部（隙間）３０の位置が一致している。
ところで、前記回転子８の電導体８１ａ、８１ｂには、図２に示すように、電源（図外）につながれたブラシ２１、２２が摺接している。これらブラシ２１、２２から電極体８１ａ、８１ｂ、電極８３ａ、８３ａ、リード線１２２、１２２を介して電熱板１２１に電気が供給され、もって電熱板１２１が発熱するようになっている。
なお、前記筒状リベット１７の上端は鍋底板１３上のリング１３１に固定され、下端は下皿１１の下側に配置した座金１９を介してかしめられている（図７）。また、前記鍋蓋１４は、その外周縁部の係止片１４３ａを鍋底板１３の外周縁を抱持するように折り曲げることにより、鍋底板１３と一体化されている。
【００２２】
３．製造機本体の他の実施形態
図８は、回転鍋１０を含む製造機本体３を組み立てた状態の斜視図であって、回転鍋１０の下部に取付けたファン９に替えて、送風機構を回転鍋１０の周囲に設けた他の製造機本体を示してある。
すなわち、回転鍋１０の外周には板状のリング体９００、９００がスペーサを兼ねる複数の羽根部９００ａ・・・によって取り付けられており、下方リング体９００、９００の下部には風を起こすための羽根部９００ｂ、９００ｂ・・・を複数枚突設している。この実施形態によれば、羽根部９００ａ、９００ｂが砂糖放出用の放出口３０に近い位置にあるため、より優れた冷却効果が期待できる。
【００２３】
４．綿菓子製造機のその他の部分の構成
１）電源コード
図９に示すように、ＡＣ用の電源コード２００のコード部分２０１の途中には過電流遮断器２０２が付設されている。この過電流遮断器２０２はプラスチック製のケース２０３にブレーカ又はヒューズ（図示せず）を収納させたものである。この過電流遮断器２０２は電源コード２００に基準値以上の電流が流れた際に迅速且つ確実に電流を遮断する。この過電流遮断器２０２は差込プラグ２０４から５ｃｍ好ましくは１０ｃｍ以上離して設けることが好ましい。このようにすれば、差込口を複数持つコンセントやテーブルタップ等の場合に、隣設される差込口への差込プラグ２０４の差込みに支障が生じることがない。
【００２４】
２）電源スイッチ及びスイッチロック装置
図１０に示すように、電源スイッチ３００は軸３００ａを中心にシーソ動作する電源スイッチである。この電源スイッチ３００は基台（基体）２の上面側に付設されている。
また、基台２の内部には軸３０１を中心に回動動作可能な回動部材３０２が設けられている。この回動部材３０２の上端部には回動部材３０２の回動によって電源スイッチ３００に対して離接する方向に動作可能なスライダ（ロック部材）３０３が設けられている。このスライダ３０３は電源スイッチ３００がＯＦＦ状態にあるときに電源スイッチ３００の上に乗り上げることができるようになっている。一方、回動部材３０２の下端部は基台２の下面凹部３０４に臨んでいる。さらに、回動部材３０２は上端部が電源スイッチ３００に近づく方向に引きばね（付勢手段）３０５によって付勢されている。
後者の回動部材３０２、スライダ３０３及び引きばね３０５はスイッチロック装置３０６を構成している。すなわち、電源スイッチ３００がＯＦＦ状態のとき、スライダ３０３の先３０３ａは電源スイッチ３００の上に乗り上げた形となっており、この状態から、回動部材３０２の操作部（基台の下面凹部に突出する部分）を操作しないと、電源スイッチ３００のＯＮ側を押圧できない。一方、電源スイッチ３００をＯＮ状態からＯＦＦ状態にするには、操作部の操作は不要である。
【００２５】
５．動作・作用
まず、回動部材３０２及び電源スイッチ３００を操作して動力機構４を作動させて回転子８、ファン９および回転鍋１０を回転させるとともに上述した経路を経て電熱装置１２に電気を供給して鍋底板１３を加熱しておく。
その後、砂糖類投入口１５ｂから砂糖類を投入する。すると、その砂糖類が鍋底板１３上で融解し、それが遠心力で鍋蓋１４−鍋底板１３間の放出口（隙間）３０を介して回転鍋１０の外方へ放出される。その放出された砂糖類が前記ファン９およびリブ１４２ａによって巻き起こされる風により冷却されて固化しながら、前記カバー１５−基台２中央の円筒部２ａとの間の隙間２０から外方に出て、前記容器５内に綿状に溜まって綿菓子が出来上がるのである。
【００２６】
なお、上記実施例では、回転鍋１０の鍋蓋１４と鍋底板１４とを別体のものとして構成したが、両者を一体に構成し、その外周壁部に液化した砂糖類の放出口（開口部）３０を設けたものとしても良い。
【００２７】
【発明の効果】
本発明の代表的なものの効果を説明すれば、
動力機構が収納された基台と、
前記基台上に立設され綿菓子を製造するための製造機本体と、
第１の軸を中心にシーソ動作する電源スイッチを動作ロックするスイッチロック装置であって、前記電源スイッチが少なくともＯＦＦ状態のときに当該電源スイッチに係合可能なロック部材を有し、このロック部材は、手動操作により前記電源スイッチから離反する方向に動作して当該電源スイッチとの係合を解除するように構成されると共に、手動操作をしないときには付勢手段により前記電源スイッチと係合する側に動作して当該電源スイッチがＯＦＦ状態のときに自動的に当該電源スイッチに係合して動作ロックを行うように構成されているスイッチロック装置とを備え、
前記電源スイッチが前記基台の上面側に付設された綿菓子製造機において、
前記ロック部材を手動操作するための操作子を備え、
前記操作子は、前記基台の下面側で操作可能な操作部を備えているので、ロック部材を手動操作すると共に電源スイッチをＯＮ側に操作しないと電源が投入されない。よって、誤って電源が投入されるのが防止される。また、電源スイッチが基台の上面に、操作子の操作部が基台の下面側に存することから、片手で同時に操作することが難しくなるので、電源投入を特に意識しない限り電源投入ができない。
【図面の簡単な説明】
【図１】  実施形態に係る綿菓子製造機の斜視図である。
【図２】  図１の綿菓子製造機の基台及び回転鍋の斜視図である。
【図３】  図１の綿菓子製造機の回転鍋及びカバーの分解斜視図である。
【図４】  図１の綿菓子製造機のカバーの斜視図である。
【図５】  図４のカバーの平面図である。
【図６】  図４のカバーの上方から見た場合の断面図である。
【図７】  図１の綿菓子製造機の回転鍋部分の断面図である。
【図８】  他の実施形態の製造機本体の斜視図である。
【図９】  図１の綿菓子製造機の電源コードの平面図である。
【図１０】  図１の綿菓子製造機の電源スイッチ及びスイッチロック装置の側面図である。
【符号の説明】
１        綿菓子製造機
２        基台（基体）
３００    電源スイッチ
３００ａ  軸
３０１    軸
３０２    回動部材
３０３    スライダ（ロック部材）
３０６    スイッチロック装置
【図１】
0004610804.tif 000002
【図２】
0004610804.tif 000003
【図３】
0004610804.tif 000004
【図４】
0004610804.tif 000005
【図５】
0004610804.tif 000006
【図６】
0004610804.tif 000007
【図７】
0004610804.tif 000008
【図８】
0004610804.tif 000009
【図９】
0004610804.tif 000010
【図１０】
0004610804.tif 000011